(57)【要約】本発明は、ディスプレイを有し、前記ディスプレイを一定間隔で再測定する少なくとも１つの光センサを含む消費者電子装置（ＣＥＤ）であって、前記ディスプレイおよび前記少なくとも１つの光センサは、前記消費者電子装置（ＣＥＤ）が使用されないとき前記光センサが前記ディスプレイからの光を監視することができるように、一つのハウジングの異なる部分に収容されることを特徴とする消費者電子装置を提供する。好ましくは、一つのハウジングの異なる部分は、前記ハウジングの一部にちょうつがいで接続される第１および第２部分を含み、前記第１部分が前記ディスプレイを収容し、前記第２部分が前記センサの少なくとも光感知部分を収容する請求項１に記載の消費者電子装置（ＣＥＤ）を提供する。【選択図】図１ａ
2009511973.tif 000002
【特許請求の範囲】
【請求項１】
ディスプレイを有し、前記ディスプレイを一定間隔で再測定する少なくとも１つの光センサを含む消費者電子装置（ＣＥＤ）であって、前記ディスプレイおよび前記少なくとも１つの光センサは、前記消費者電子装置（ＣＥＤ）が使用されないとき前記光センサが前記ディスプレイからの光を監視することができるように、一つのハウジングの異なる部分に収容されることを特徴とする消費者電子装置（ＣＥＤ）。
【請求項２】
前記一つのハウジングの異なる部分は、前記ハウジングの一部にちょうつがいで接続される第１および第２部分を含み、前記第１部分が前記ディスプレイを収容し、前記第２部分が前記センサの少なくとも光感知部分を収容する請求項１に記載の消費者電子装置（ＣＥＤ）。
【請求項３】
さらにキーボードを含み、前記ハウジングは二枚貝タイプであり、前記ハウジングの第２部分が前記キーボードを収容し、前記センサの少なくとも光感知部分が前記キーボードに組み込まれ、前記センサは前記二枚貝が閉じたときに前記ディスプレイからの光を感知できる請求項２に記載の消費者電子装置（ＣＥＤ）。
【請求項４】
前記センサの前記光感知部分は前記キーボードのキーの間に配置される請求項３に記載の消費者電子装置（ＣＥＤ）。
【請求項５】
前記キーボードのキーは半透明であり、前記光センサの前記光感知部分は前記キーの下側にある請求項３に記載の消費者電子装置（ＣＥＤ）。
【請求項６】
前記光センサは、光感知および光放射態様の両者の使用に設計された発光装置を含む請求項１ないし５のいずれかに記載の消費者電子装置（ＣＥＤ）。
【請求項７】
前記光センサは、光感知装置および前記センサの光感知部分からの光を前記感知装置に導く光ガイドを有する請求項１ないし６のいずれかに記載の消費者電子装置（ＣＥＤ）。
【請求項８】
前記ディスプレイの異なる部分を感知する複数の前記光センサをさらに有する請求項１ないし７のいずれかに記載の消費者電子装置（ＣＥＤ）。
【請求項９】
前記ディスプレイの複数の照明された画素を同時に感知する前記複数の光センサを使用するシステムをさらに有する請求項１ないし８のいずれかに記載の消費者電子装置（ＣＥＤ）。
【請求項１０】
前記複数の照明された画素の光出力データを決めるために測定マトリックスによって前記複数の光センサからの信号によって規定される値を有するベクトルを掛け算するデータプロセサーを有する請求項９に記載の消費者電子装置（ＣＥＤ）。
【請求項１１】
定期的にディスプレイを計測するために、複数の画素を含む前記ディスプレイを有する消費者電子装置の監視のためのシステムであって、前記監視システムは、複数の前記画素の光出力を同時に監視する複数の光センサからの信号を受信する入力、前記入力に接続され、前記複数の光センサからの前記信号を処理し、同時に監視された前記複数のディスプレイ画素の光出力データを決める処理システム、および前記処理システムに接続され、前記光出力データを出力する出力を含む消費者電子装置（ＣＥＤ）の監視のためのシステム。
【請求項１２】
前記ディスプレイはＯＬＥＤディスプレイである請求項１ないし１１のいずれかに記載される消費者電子装置（ＣＥＤ）またはシステム。
【発明の詳細な説明】
【技術分野】
【０００１】
本発明は、一般的には、ディスプレイの監視システムおよび方法、特に、ＯＬＥＤ（有機発光ダイオード）ディスプレイの監視システムおよび方法に関するものである。
【背景技術】
【０００２】
一般的にディスプレイ、特に、ＯＬＥＤに関する１つの問題は、ディスプレイの画素の不均一な寿命である。したがって、「スクリーンバーン」は初期のコンピュータシステムの陰極線管系監視の特徴であった。コンピューターにおいては、スクリーンセーバーの使用がスクリーンバーンの影響を減らしたが、製品によっては、このような技術は必ずしも適用できなかった。さらに、異なる色の画素がしばしば異なる速度で劣化するカラーＯＬＥＤディスプレイにおいては、特に問題が生じる。本明細書においては、一般的な用語である「画素」は、カラーディスプレイの異なる色のサブ画素を意味するためにも使用される。
【特許文献１】国際公開２００５／０６９２５９号パンフレット
【特許文献２】米国特許第６，４１４，６６１号明細書
【特許文献３】米国特許第５，７９３，３４４号明細書
【発明の開示】
【発明が解決しようとする課題】
【０００３】
ＯＬＥＤディスプレイの不均一性を減らすための１つの技術はＷＯ２００５／０６９２５９に記載されている。これは、この装置が発電機上に載せられ、持ち運び可能な装置が再充電される発電機中の光センサによって監視される構成について記載している、しかしながら、これは少なくともディスプレイの大きさのかさばった充電器を必要とするという欠点を有する。他の欠点は、監視される装置専用の独立した装置が必要とされるという点である。
【０００４】
これに替わる手法は、２００４年４月２２日に出願した出願人の英国特許出願第０４０８９６０．３に記載されている。この文献は、光センサをＯＬＥＤディスプレイに組み込む構成、特に、ディスプレイ基板において案内される光波動感知について記載している。しかしながら、これはディスプレイの製造コストを増加するという欠点を有する。
【０００５】
他の背景技術は、米国特許第６，４１４，６６１号明細書および米国特許第５，７９３，３４４号明細書に見出される。
【課題を解決するための手段】
【０００６】
したがって、本発明は、ディスプレイを有し、前記ディスプレイを一定間隔で再測定する少なくとも１つのセンサを含む消費者電子装置（ＣＥＤ）を提供し、前記ディスプレイおよび前記少なくとも１つのセンサは、ＣＥＤが使用されないとき前記光センサが前記ディスプレイからの光を監視することができるように、一つのハウジングの異なる部分に収容される。
【０００７】
好ましくは、一つのハウジングの異なる部分は、互いにちょうつがいで接続される第１および第２の部分を含み、ディスプレイが１つの部分に収容され、センサまたは前記センサのすくなくとも光感知部分が他の部分に収容される。このように、実施態様において、センサとディスプレイは互いに隔離される。このハウジングのちょうつがい接続部は、その１つの部分がディスプレイを保持し、他の部分がキーボードを保持する二枚貝の貝殻型ハウジングを構成する。次いで、センサの光感知部分は、キーボードに組み込まれ、センサは二枚貝が閉じたときにディスプレイからに光を感知できるようにされている。
【０００８】
１または２以上の光センサはキーボードのキーの間に配置され、および／またはキーボードのキーは、ディスプレイからの光がキーの上面から真下にある光センサを通過するときキーボードのキーは透過性であることができる。光センサは、実施態様において、ハウジングの一部として一緒に形成される繊維計量器または波動案内のような光案内器に接続される光感知装置からなることができる。これは、スペースがしばしば重要となるコンパクトな消費者装置における光感知装置の配置を容易にする。携帯電話のようないくつかの消費者装置は発光ダイオード系キーボード照明を有し、装置が使用されないときはＬＥＤの１または２以上は光センサとして使用される。
【０００９】
いくつかの好ましい態様において、複数の光センサはディスプレイの異なる部分および／または色を感知するために採用される。これらセンサからの出力は組み合わせて、または独立して処理される。
【００１０】
実施態様において、ディスプレイの複数の照明された画素（サブ画素）を同時に感知する複数の光センサを使用するシステムが提供される。このようなシステムは、複数の照明された画素の光出力データを決めるために測定マトリックスによって複数の光センサからの信号によって規定される値を有するベクトルを掛け算するデータプロセサーを有する。このようにして、特定のセンサは２以上の照明された画素からの光を検出することができるが、センサからの信号はそれぞれの独立した照明された画素のための光出力信号を実質的に切り離すために処理される。
【００１１】
したがって、他の実施態様において、本発明は、複数の画素を有する定期的にディスプレイを計測するための複数の画素を含むディスプレイ消費者電子装置の監視のため、定期的に前記ディスプレイを計測するための監視システムであって、前記監視システムは、複数の前記画素の光出力を同時に監視する複数の光センサからの信号を受信する入力、前記入力に接続され、前記複数の光センサからの前記信号を処理し、同時に監視された前記複数のディスプレイ画素の光出力データを決める処理システム、および前記処理システムに接続され、前記光出力データを出力する出力を含む。
【００１２】
監視システムは、画素（サブ画素を含む）特性における劣化関連または他の変化を補償するための光出力データを使用するために設計されたディスプレイドライバーと共に導入される。
【００１３】
上記のまたはこのような監視システムを含む消費者電子装置（ＣＥＤ）は、装置のＯＬＥＤディスプレイを駆動するためのＯＬＥＤディスプレイドライバー、および１または２以上の光センサからの任意に上記の処理をされた信号に応答してＯＬＥＤディスプレイの駆動を制御するための、前記光センサまたは監視システムおよびＯＬＥＤディスプレイドライバーに接続されるＯＬＥＤディスプレイ制御システムをさらに含む。好ましくは、ＣＥＤが使用されないとき、ディスプレイの画素を制御するために、例えば、画素を順番に連続的に照明するためにディスプレイを駆動するためのシステムが提供される。２以上の画素が同時に照明される場合、ディスプレイは論理的に２以上のサブフィールド（空間的に区別されたおよび／または色によって区別された）に区切られ、画素はそれぞれのサブフィールドにおいて同時に順番に駆動される。
【００１４】
好ましくは、ディスプレイはＯＬＥＤディスプレイからなり、次の限定されない種類の材料の１または２以上を使用するＯＬＥＤからなる。すなわち、ポリマー材料、低分子材料、デンドリマー材料、有機および有機金属材料である。ポリマー系有機ＬＥＤの例は、ＷＯ９０／１３１４８、ＷＯ９５／０６４００およびＷＯ９９／４８１６０に記載されている。デンドリマー系材料の例はＷＯ９９／２１９５３５およびＷＯ０２／０６７３４３に記載されている。また、いわゆる低分子系装置はＵＳ４，５３９，５０７に記載されている。
【００１５】
本発明のこれらおよび他の側面は、図面を参照してさらに説明される。
【００１６】
図１ａは、１つがディスプレイ１０２を含み、他がキーボード１０４を含むちょうつがい部１００ａ、ｂを有する二枚貝の貝殻型携帯通信装置１００の例を示す。２つの二者択一のセンサ位置１０６ａ、ｂが示され、センサ１０６ｂは装置のキーボード部からの繊維光ガイド１０８を有する。二枚貝が閉じるとき、ディスプレイ１０２からの光はセンサ１０６、光ダイオードによって検出される。
【００１７】
図１ｂは、キーボードとディスプレイが装置の第１部１１０ａに収容され、第２の下側に裏返される部分１１０ｂはマクロフォンまたは音ディフレクターを有する。図１ｂの例においては、センサ１１２は１１０ａ部に収容され、繊維光接続１１４は、装置が使用されないときに装置からの光を感知するために１１０ｂに供給される。
【００１８】
図２ａは、キーボード１０４の断面図を示し、特に、２００ａ位置にキーを有し、２００ｂ位置にキーの間の空間を有するゴムまたはプラスチックのキーカバー２００を示す。図は、キーの下側のセンサＳのいくつかの替わりの位置２０２ａ、ｂ、ｃを例示する。２０２位置のセンサは、センサとしても機能するキーボードを照明する発光ダイオードを有する。一つのまたは複数のセンサが採用され得る。センサはパンクロまたは色特定、特に、赤、緑および青色フィルターを有する独立したセンサがディスプレイの赤、緑および青色画素を監視するために採用される。
【００１９】
図２ｂは、図１ａの二枚貝が閉じたときディスプレイに対向するようにキーボードのほぼ中央に位置する単一のセンサの例を示す。図２ｃは、ディスプレイの異なる部分を感知するための異なる位置における複数のセンサの使用を示す。これらセンサからの信号は、図示されるように独立してまたは結合して処理される。多数のセンサの使用はディスプレイの迅速な評価に有利である。
【００２０】
大まかに言って、動作において、ディスプレイは一時点で一つの画素を照明するように駆動され、画素の光出力は１または２以上のセンサによって測定される。光出力は、決められた初期値、例えば、最初の使用または製造時の測定によるか、または事前に決められた基準値（ディスプレイの特性が実質的に予測できる場合）と比較される。
【００２１】
次に、図３を参照すると、これは、左側において、照明された画素番号（ディスプレイの画素が連続的に番号付けられている）の曲線の例を示し、図示されるように曲線の異なる部分が異なるセンサＳ１、Ｓ２およびＳ３から得られている。最初の曲線３００および後に測定された曲線３０２は、寿命関連の（または他の）ディスプレイ特性のばらつきを補償するための各画素の訂正値を決めるために比較される。
【００２２】
図３のブロック図を参照すると、曲線３００のためのデータが第１の不揮発性記憶装置３００ａに保存され、曲線３０２の捕獲されたデータが第２の記憶装置３００ｂに保存される。これら２つの記憶装置の内容は、ディスプレイ３１０の画素の輝度／色値を規定するディスプレイデータを訂正するためにＯＬＥＤディスプレイドライバ３０８によって使用される訂正データ３０６を供給するためにそれぞれの画素に引き出される３０４。計測制御システム３１２は、ディスプレイの各画素を順番に照明するためにドライバー３０８に画素輝度制御信号を供給するだけでなく、データの捕獲および訂正データ３０６の生成を制御するための計測、タイミングおよび制御信号を供給する。計測制御システム３１２は、消費者電子装置が使用されないときに、例えば、既存の「二枚貝開放」センサの使用、または１または２以上のセンサによって感知される全般的な光レベルの使用をシステムが決めることを可能にする入力を有する。装置が使用されるときには、環境光に応じたディスプレイの輝度を制御するため、輝度環境条件が減少した状況でのディスプレイ全体の輝度を減少させ、これによって節電するために、感知された光レベルが導入される。
【００２３】
いくつかの好ましい実施態様においては、複数のセンサ３１４がディスプレイの複数部を同時に監視するために導入される。このために、図示されるように、ディスプレイは多くのサブフィールド３１０ａ〜ｄの論理的に区分されなければならず、画素はこれらサブフィールドを横切って同時に検査される。それぞれのセンサがディスプレイのサブフィールドの１つだけからの光を主として受けるように、センサが位置され、および／またはバッフルが導入される。しかし、好ましくは、下記にさらに説明するように、画素信号分断のためにセンサ信号プロセサー３１６が採用される。
【００２４】
仮に、例示の目的のために、３つの画素Ａ、Ｂ、Ｃの光出力が、それぞれ出力α、β、γを有する３つの検出器によって同時に監視される。検出された光と画素光出力の関係は、下記の等式（１）で与えられる。
【数１】
2009511973.tif 000003
次いで、画素値が下記の等式（２）を使用して決められる。
【数２】
2009511973.tif 000004
上記式において、
【数３】
2009511973.tif 000005
である。
【００２５】
マトリックス変換を容易にするために、マトリックスの条件がよいこと、および図３に示されるタイプのサブフィールドスキャンニングシステムを採用することにより、対応する画素スキャンニングがそれぞれのサブフィールドに適用され、サブフィールドごとに１つのセンサ（検出器）を有することにより、対角線に近いマトリックスが得られる。等式（２）の作動は、ソフトウェア、専用ハードウェアまたはこれらの組合せによって実行される。
【００２６】
異なる画素からの感知された信号を切り離すための上記の数学的な手法を採用するかまたはしない１または２以上のセンサの使用は、実施態様において、センサ上の汚れおよび同様の問題を解決するのを促進するだけでなく、迅速および／またはマルチカラーの計測を可能にする。しかしながら、後者の問題に関係して、画素訂正データは互いに関係する画素値を訂正するためのデータを有するものがよい。しかしながら、２以上の検出器は、全体に減少した感知された光出力値がディスプレイをよりオーバードライブさせないことを保証することを助ける。  
【００２７】
二枚貝（または同様のもの）配列が閉じ、離れた光源からの干渉を減らすとき、測定が始まる。しかしながら、好ましい実施態様において、試験のもとでは画素からの光出力は調節され、１または２以上の検出器に連結するハードウェア（ソフトウェア）は、同じに調節された信号のみを引き出すように設定されている。これは、太陽光、室内光および他の潜在的な干渉の効果を減らす。単純な履行において、調節波長の基準信号はドライバーを調節するために使用され、低い通過フィルタリングの前の画素からの感知された信号を増幅する。
【００２８】
本発明の実施態様は、多くのタイプの電子装置、これに限定されずに、ラップトップコンピュータ、ＤＶＤプレーヤ、ゲームコンソール、ＰＤＡ，携帯通信機および他の装置、特に携帯電話、巻き取りスクリーンを有する装置（ディスプレイが巻上げおよび／または巻かれないときにディスプレイの評価がなされる）を含む。
【００２９】
他の多くの効果的な代替が当業者に明らかである。本発明は、上記の実施態様に限定されるものではなく、本発明の特許請求の範囲の精神及び範囲内の当業者に自明な改良を含むことは当然である。
【図面の簡単な説明】
【００３０】
【図１ａ】本発明の側面を実施する消費者電子装置の例を示す。
【図１ｂ】本発明の側面を実施する消費者電子装置の例を示す。
【図２ａ】キーボードの下側位置のセンサの例を示す。
【図２ｂ】キーボードの下側位置のセンサの例を示す。
【図２ｃ】キーボードの下側位置のセンサの例を示す。
【図３】本発明のシステムの実施態様のブロック図を示す。
【符号の説明】
【００３１】
１００    二枚貝型携帯通信装置
１０２    ディスプレイ
１０４    キーボード    
１０６ａ  替わりのセンサ位置    
１０６ｂ  センサ
１０８    繊維光ガイド１０８
１１０    携帯通信装置
１１０ａ  第１部
１１０ｂ  下側に折り返される第２部
１１２    センサ
１１４    繊維光接続
２００ａ  キーの位置
２００ｂ  キー間の位置
２０２ａ  替わりの位置
２０２ｂ  替わりの位置
２０２ｃ  替わりの位置
３００    曲線
３０２    曲線
３０４    ２つの記憶装置の内容が引き出される
３０６    訂正データ
３０８    ドライバー
３１０    ディスプレイ
３１２    計測制御システム
３１４    複数のセンサ
３１６    センサ信号プロセサー
【図１ａ】
2009511973.tif 000006
【図１ｂ】
2009511973.tif 000007
【図２ａ】
2009511973.tif 000008
【図２ｂ】
2009511973.tif 000009
【図２ｃ】
2009511973.tif 000010
【図３】
2009511973.tif 000011
【国際調査報告】
2009511973.tif 000012
2009511973.tif 000013
2009511973.tif 000014